(57)【要約】【課題】  ブラジャーのワイヤーの内側端部が肌に当たって不快感を与えるのを防ぐことができる女性用下着を提供すること。【解決手段】  上半身被覆部を有し、その胸部裏面の上部中央から縦長の帯状布４を吊り下げてある。帯状布４の少なくとも裏面を、吸湿性の高い素材で形成すると良い。帯状布４を取り外し可能としても良い。【選択図】          図１
0003111248.tif 000002
【実用新案登録請求の範囲】
【請求項１】
上半身被覆部を有し、その胸部裏面の上部中央から縦長の帯状布を吊り下げてあることを特徴とした女性用下着。
【請求項２】
前記帯状布の少なくとも裏面が吸湿性の高い素材より成る請求項１に記載の女性用下着。
【請求項３】
前記帯状布を取り外し可能とした請求項１又は２に記載の女性用下着。
【考案の詳細な説明】
【技術分野】
【０００１】
本考案は、タンクトップ、キャミソール、スリップ等の上半身被覆部を有する女性用下着に関する。
【背景技術】
【０００２】
ブラジャーの乳房カップの下縁には、乳房部を寄せ上げて美しく補整する効果を高めるために、弧状に湾曲したワイヤーを配設したものが多い。
ところが、ワイヤーは布に比べて硬いので肌に当たって不快感を与えることがある。特に、ワイヤーの内側端部は、中央に向かって寄せ上げた乳房部に当たり、痛みを与えることがある。
従来、ワイヤー等の補整部材が配設されている部位の裏面に、吸湿体を兼ねた緩衝体を設けて、補整部材による不快感を防ぐようにしたブラジャーが公知である（特許文献１参照）。しかし、ブラジャーの外面に重ねて着用する下着により、ブラジャーのワイヤーが肌に当たるのを防止する技術は全く知られていなかった。
【０００３】
【特許文献１】特開２００４−１３１８５４号公報
【考案の開示】
【考案が解決しようとする課題】
【０００４】
本考案が解決しようとする課題は、ブラジャーのワイヤーの内側端部が肌に当たって痛みや不快感を与えるのを防ぐことができる女性用下着を提供することにある。
【課題を解決するための手段】
【０００５】
本考案の女性用下着は、上半身被覆部を有し、その胸部裏面の上部中央から縦長の帯状布を吊り下げてある。
前記帯状布の少なくとも裏面を、吸湿性の高い素材で形成すると良い。
前記帯状布を取り外し可能としても良い。
【考案の効果】
【０００６】
請求項１に係る考案によれば、ワイヤー入りブラジャーの外面に着用した場合に、帯状布をブラジャーの中央部裏側へ上方から通せば、ワイヤーの内側端部が乳房部に直接当たることが無いので、ブラジャーのワイヤーによる痛みや不快感を防ぐことができる。
請求項２に係る考案によれば、乳房部の間に溜まった汗を帯状布によって吸い取ることができる。
請求項３に係る考案によれば、ワイヤー入りブラジャーを着用しない場合や、発汗しにくい冬季等には、不要な帯状布を外して着用することが可能となる。
【考案を実施するための最良の形態】
【０００７】
本考案の女性用下着は、上半身被覆部を有し、特に、襟刳りの深いタンクトップ、キャミソール、スリップ等のスタイルが適している。
上半身部の胸部裏面には、その上部中央から帯状布を吊り下げてある。
【実施例１】
【０００８】
図１乃至図３は実施例１を示し、図１は、女性用下着の胸部裏面図、図２は帯状布の裏面図、図３は着用状態における断面図である。
図１に示すように、下着本体１は、綿或いは綿混紡の平織り地等を素材とし、上半身を覆う筒状のキャミソールスタイルに形成される。また、下着本体１の上端両側部には、前部から背部に亘ってそれぞれ肩紐２が架設されている。
さらに、下着本体１の裏面には、上端縁に沿って伸縮テープ３が装着され、下着本体１の胸部中央には帯状布４が取り付けられている。
【０００９】
帯状布４は、図２に示すように、表布５と裏布６とを重ねて成り、上端の幅が約７ｃｍ、下端の幅が約４ｃｍ、長さが約１４ｃｍの縦長形状に形成されている。
帯状布４の表布５は、下着本体１と同じ素材であるが、裏布６は、より吸湿性の高い薄手のタオル地等を素材とする。
そして、帯状布４の上端部を、下着本体１の上端と伸縮テープ３との間に挟んで縫着することにより、帯状布４を胸部裏面の上部中央から吊り下げてある。
【００１０】
本考案の女性用下着は次のように使用される。
図３に示すように、ワイヤー入りブラジャー７を装着してからこの女性用下着を着用し、乳房部の間に位置するよう、帯状布４を上方からブラジャー７の裏側に差し込む。
すると、ブラジャー７に取り付けられたワイヤーの内側端部と、肌との間に帯状布４が介在されるので、ワイヤーの内側端部が乳房部の内側面に当たって、痛みや不快感を与えるのを防ぐことができる。
また、胸の中央部（乳房部の間）は汗が溜まりやすい部分であるが、この部分に差し込んだ帯状布４の裏布６は、タオル地のような特に吸湿性の高い素材を用いているため、確実に汗を吸い取ることができる。
なお、帯状布４は十分な長さを有するので、身体の動きによって下着とブラジャー７とが位置ずれを起こしても、帯状布４がブラジャー７の裏側から脱出する心配はない。
【実施例２】
【００１１】
図４及び図５は、実施例２を示し、図４は女性用下着の要部裏面図、図５は帯状布を取り外した女性用下着の要部裏面図である。
図４に示すように、下着本体１は、綿或いは綿混紡の吸湿性のある生地より成り、その前身頃８の上端縁に沿って飾りレース９を縫いつけてある。また、下着本体１の胸部中央の裏面において、前身頃８と飾りレース９との縫着部に通し紐１０の両端部が止め付けられている。
そして、通し紐１０に帯状布４を通して折り返すと共に、折り返して重なった部分を取り外し可能に止め付けることにより、帯状布４を下着本体１の裏面の胸部中央から吊り下げてある。
【００１２】
帯状布４は、下着本体１と同じ素材の表布５及び裏布６を重ねて成り、幅約３ｃｍ、長さ約２２ｃｍの細長い帯状に形成してある。
また、帯状布４は、通し紐１０を挟んで両側がほぼ同じ長さになるよう、長手方向中央部から折り返してあり、通し紐１０から３ｃｍ程度下の位置において、糸１１によって縫い止めてある。従って、帯状布４の表布５及び裏布６は４重に重なることになる。
さらに、糸１１の端部は帯状布４の側方に突出しており、この端部を引くと簡単に糸１１を引き抜けるようになっている。
【００１３】
実施例１と同様にして、この女性用下着をワイヤー入りブラジャー７の外面に着用し、帯状布４をブラジャー７の中央部裏側へ上方から差し込むと、ブラジャー７のワイヤーの内側端部と肌との間に、布帛を４重に重ねた状態で帯状布４が介在されるので、ワイヤーの内側端部が当たって不快感を感ずることがない。
また、胸中央部に溜まった汗は、吸湿性の良い帯状布４で確実に吸い取ることができる。
ワイヤー入りブラジャー７を着用しなかったり、汗をかかない季節で、帯状布４が不要な場合は、糸１１を抜いて帯状布４の折り返して重ねた部分を分離し、図５に示すように、帯状布４を通し紐１０から引き抜いて外すことが可能である。
【００１４】
なお、実施例２のように折り返した帯状布４を糸１１で止めると、いったん取り外した帯状布４を再度下着本体１へ装着する際に縫い付けなければならないので、薄いベルベットクロスファスナーのような嵩張らない留め具を用いて、帯状布４の折り返し部分を止めると、帯状布４を下着本体１へ簡単に着脱することができる。
勿論、通し紐１０を飾りレースの縫着部ではなく、襟刳りの端始末部分に取り付けても良い。
また、本考案の女性用下着は、上半身被覆部の下方に下半身被覆部を連設したスリップ、レオタード等とすることもできる。
【図面の簡単な説明】
【００１５】
【図１】実施例１を示す女性用下着の要部裏面図。
【図２】実施例１に係る帯状布の一部破断裏面図。
【図３】実施例１を示す女性用下着の着用状態における要部断面図。
【図４】実施例２を示す女性用下着の要部裏面図。
【図５】実施例２を示す女性用下着の帯状布取り外し時の裏面図。
【符号の説明】
【００１６】
１  下着本体
２  肩紐
３  伸縮テープ
４  帯状布
５  表布
６  裏布
７  ワイヤー入りブラジャー
８  前身頃
９  飾りレース
１０  通し紐
１１  糸
【図１】
0003111248.tif 000003
【図２】
0003111248.tif 000004
【図３】
0003111248.tif 000005
【図４】
0003111248.tif 000006
【図５】
0003111248.tif 000007